【手続補正書】
【提出日】平成15年1月24日(2003.1.24)
【手続補正１】
【補正対象書類名】明細書
【補正対象項目名】特許請求の範囲
【補正方法】変更
【補正の内容】
【特許請求の範囲】
【請求項１】
マルチフラッシュカード読取装置であって、
データをホストコンピュータに転送するためのホスト接続部と、
前記ホスト接続部に接続され、かつ変換チップフラッシュメモリカードからの信号を変換して、前記フラッシュメモリカードからのデータを読み取り、前記ホストコンピュータに転送するための変換チップと、
前記変換チップに接続され、かつ内部に挿入されたコンパクトフラッシュ（商標）カードに対応するための第１コネクタと、該第１コネクタは、データバスと、アドレスバスと、前記コンパクトフラッシュ（商標）カードから前記変換チップへのパラレルデータ転送を制御するための制御信号とを有することと、
前記変換チップに接続され、かつ内部に挿入されたスマートメディア（商標）カードに対応するための第２コネクタと、該第２コネクタはデータバスと、前記スマートメディア（商標）カードから前記変換チップへのパラレルデータ転送を制御するための制御信号とを有することと、
前記変換チップに接続され、かつ内部に挿入されたマルチメディアカード（商標）ＭＭＣに対応するための第３コネクタと、該第３コネクタは少なくとも１つのシリアルデータピンおよび前記ＭＭＣカードから前記変換チップへのシリアルデータ転送を制御するためのクロックピンとを有することとを備え、
前記変換チップは、前記コンパクトフラッシュ（商標）カードに対しては、パラレルデータとアドレス転送とを制御し、前記スマートメディア（商標）カードに対しては、データ転送を制御し、前記ＭＭＣカードに対しては、シリアルデータ転送を制御し、
これによって、前記変換チップを用いて、前記マルチフラッシュカード読取装置によって、フラッシュメモリカードを読み取ることができるマルチフラッシュカード読取装置。
【請求項２】
前記変換チップに接続され、かつ内部に挿入されたメモリスティックカードに対応するための第４コネクタと、該第４コネクタは少なくとも１つのシリアルデータピンと、前記メモリスティックカードから前記変換チップへのシリアルデータ転送を制御するためのクロックピンとを有する前記第４コネクタを更に備え、
前記変換チップはまた、前記メモリスティックカード用のシリアルデータ転送を制御する請求項１に記載のマルチフラッシュカード読取装置。
【請求項３】
マルチフラッシュカード読取装置であって、
データをホストコンピュータとの間で転送するためのホスト接続部と、
前記ホスト接続部に接続され、変換チップフラッシュメモリカードからの信号を変換して、前記フラッシュメモリカードからのデータを読み取り、前記ホストコンピュータとの間で転送するための変換チップと、
前記変換チップに接続され、かつ内部に挿入されたコンパクトフラッシュ（商標）カードに対応するための第１コネクタと、該第１コネクタはデータバスと、アドレスバスと、前記コンパクトフラッシュカードから前記変換チップへのパラレルデータ転送を制御するための制御信号とを有することと、
前記変換チップに接続され、かつ内部に挿入されたスマートメディア（商標）カードに対応するための第２コネクタと、該第２コネクタはデータバスと、前記スマートメディアカードから前記変換チップへのパラレルデータ転送及び前記変換チップから前記スマートメディアカードへのパラレルデータ転送を制御するための制御信号とを有することと、
前記変換チップに接続され、かつ内部に挿入されたマルチメディアカード（商標）ＭＭＣ又はセキュアデジタル（ＳＤ）カードに対応するための第３コネクタと、該第３コネクタは少なくとも１つのシリアルデータピンと、前記ＭＭＣ／ＳＤカードと前記変換チップへのシリアルデータ転送及び前記変換チップから前記ＭＭＣ／ＳＤカードへのシリアルデータ転送を制御するためのクロックピンとを有することとを備え、
前記変換チップは、前記コンパクトフラッシュカードに対しては、データとアドレス転送とを制御し、前記スマートメディアカードに対しては、データ転送を制御し、前記ＭＭＣ／ＳＤカードに対しては、シリアルデータ転送を制御し、
これによって、前記変換チップを用いて、前記マルチフラッシュカード読取装置によって、複数のフラッシュメモリカードが読み取られ得る、マルチフラッシュカード読取装置。
【請求項４】
前記変換チップに接続され、かつ内部に挿入されたメモリスティックカードに対応するための第４コネクタをさらに備え、第４コネクタは少なくとも１つのシリアルデータピンと、前記メモリスティックカードから前記変換チップへのシリアルデータ転送を制御するためのクロックピンとを有し、
前記変換チップは、前記メモリスティックカード用のシリアルデータ転送を制御する請求項３に記載のマルチフラッシュカード読取装置。
【請求項５】
前記変換チップに接続され、かつ前記外部筐体の着脱自在のディスクに対応するための着脱自在の大容量記憶装置をさらに備え、該着脱自在の大容量記憶装置は前記変換チップに応答して前記フラッシュメモリカードからのデータを記憶し、
これによって、データが前記着脱自在の大容量記憶装置に転送される請求項４に記載のマルチフラッシュカード読取装置。
【請求項６】
データを処理システムに転送するためのインタフェースと、
前記インタフェースに接続され、前記インタフェースによって用いられる形式に他のインタフェースを変換するための変換手段と、前記他のインタフェースには、コンパクトフラッシュインタフェースと、前記コンパクトフラッシュインタフェースより少ない数のピンを有するインタフェースとが含まれることと、
前記変換器に接続され、第１カードに対応するための第１コネクタと、
前記第１コネクタに適合する接続用コネクタを有するアダプタと、該アダプタは前記他のインタフェースを有する他のカードに適合する第２コネクタも有することと、
前記第２コネクタからの信号を前記接続用コネクタにおける信号と接続するための信号コネクタと、前記アダプタは、前記他のデバイスが前記変換手段によって読み取られることを可能にすることとを備える単一スロットマルチフラッシュカード読取装置。
【請求項７】
前記信号コネクタは、配線系統を備える請求項６に記載の単一スロットマルチフラッシュカード読取装置。
【請求項８】
前記配線系統は、前記他のインタフェースの少なくとも１つからのカード選択信号を前記第１コネクタのカード選択信号に接続する請求項７に記載の単一スロットマルチフラッシュカード読取装置。
【請求項９】
前記変換器は、前記カード選択信号を検出し、かつ前記第１コネクタに挿入されたフラッシュメモリカードの存在を検出するためのカード検出器を備える請求項８に記載の単一スロットマルチフラッシュカード読取装置。
【請求項１０】
フラッシュメモリカードは、読み取り専用媒体、１回書き込み型媒体、及び読み取り／書込みフラッシュ媒体のうちの１つである請求項６に記載の単一スロットマルチフラッシュカード読取装置。
【請求項１１】
前記インタフェースを用いて、８ビット又は１６ビットデータ／アドレスバスを有するあらゆるデバイス、内蔵メモリを備えているか又は備えていないデバイス、制御装置を備えているか又は備えていないデバイス、及び読み取り専用メモリ又は読み取り／書込みメモリ又は１回書き込みメモリを用いるデバイスを接続する請求項６に記載の単一スロットマルチフラッシュカード読取装置。
【請求項１２】
データをデバイスに転送するためのホスト接続部と、
前記ホスト接続部に接続され、複数のフラッシュメモリカードからの信号を変換し、かつ前記フラッシュメモリカードからのデータを読み取るための変換チップと、
前記変換チップに接続され、かつ第１カードに対応するための第１コネクタと、該第１コネクタは前記第１カードから前記変換チップへのデータ転送を制御するためのものであることと、
前記変換チップに接続され、かつ第２カードに対応するための第２コネクタと、該第２コネクタは前記第２カードから前記変換チップへのデータ転送を制御するためのものであることと、
前記変換チップに接続され、かつ第３カードに対応するための第３コネクタと、該第３コネクタは前記第３カードから前記変換チップへのデータ転送を制御するためのものであることとを備え、
前記変換チップは、前記第１カード、第２カード、及び第３カード用のデータ及びアドレス転送を制御する、マルチフラッシュカード読取装置。
【請求項１３】
前記第１コネクタ、第２コネクタ、及び第３コネクタは、コンパクトフラッシュ形式、メモリスティック形式、マルチメディアカード形式、セキュアデジタル形式、スマートメディア形式、ＰＣＭＣＩＡ形式又は他のあらゆるフラッシュメモリカード形式のうちの任意の組み合わせを備える請求項１２に記載のマルチフラッシュカード読取装置。
【請求項１４】
フラッシュメモリカードは、読み取り専用媒体、１回書き込み型媒体、及び読み取り／書込みフラッシュ媒体の何れでもよい請求項１２に記載のマルチフラッシュカード読取装置。
【請求項１５】
データをデバイスに転送するためのホスト接続部と、
前記ホスト接続部に接続された変換チップと、該変換チップは複数のフラッシュメモリカードからの信号を変換し、かつ前記フラッシュメモリカードからのデータを読み取るためのものであることと、
前記変換チップに接続され、かつ複数のカードに対応するための複数のコネクタと、該複数のコネクタの各々は、少なくとも１つの前記複数のカードから前記変換チップへのデータ転送を制御するためのものであることとを備え、前記変換チップは、前記複数のカードのためのデータとアドレス転送とを制御するマルチフラッシュカード読取装置。
【請求項１６】
前記複数のコネクタの少なくとも１つは、前記変換チップからのパラレルデータ転送を制御する請求項１５に記載のマルチフラッシュカード読取装置。
【請求項１７】
前記複数のコネクタの少なくとも１つは、前記変換チップからのシリアルデータ転送を制御する請求項１５に記載のマルチフラッシュカード読取装置。
【請求項１８】
前記複数のコネクタの少なくとも１つは、前記変換チップからのパラレルデータとアドレス転送を制御する請求項１５に記載のマルチフラッシュカード読取装置。
【請求項１９】
前記複数のコネクタの少なくとも１つは、前記少なくとも１つのコネクタに挿入されたカードの存在をデータするためのカード検出信号を有する請求項１５に記載のマルチフラッシュカード読取装置。
【請求項２０】
前記変換チップは、前記少なくとも１つのコネクタからの前記カード検出信号の電圧変化を検出し、前記カードにアクセスするためのルーチンを起動する請求項１５に記載のマルチフラッシュカード読取装置。
【請求項２１】
前記複数のコネクタは、コンパクトフラッシュ形式、メモリスティック形式、マルチメディアカード形式、セキュアデジタル形式、スマートメディア形式、ＰＣＭＣＩＡ形式又は他のあらゆるフラッシュメモリカード形式のうちの任意の組み合わせを備える請求項１５に記載のマルチフラッシュカード読取装置。
【請求項２２】
フラッシュメモリカードは、読み取り専用媒体、１回書き込み型媒体、及び読み取り／書込みフラッシュ媒体の何れかである請求項１５に記載のマルチフラッシュカード読取装置。
【請求項２３】
フラッシュメモリカードの内容が、スタンドアロンモードにおいて、起動手段を用いることによって、他の記憶手段に転送され得る請求項１５に記載のマルチフラッシュカード読取装置。
【請求項２４】
フラッシュメモリカードの内容が、スタンドアロンモードにおいて、起動手段を用いることによって、非固体記憶媒体に転送され得る請求項１５に記載のマルチフラッシュカード読取装置。
【請求項２５】
フラッシュメモリカードの内容が、処理システムからの制御下で、他の記憶手段に転送され得る請求項１５に記載のマルチフラッシュカード読取装置。
【請求項２６】
フラッシュメモリカードの内容は、処理システムからの制御下で、非固体記憶媒体に転送され得る請求項１５に記載のマルチフラッシュカード読取装置。
【請求項２７】
データを処理システムに転送するためのインタフェースと、
前記インタフェースに接続され、他のインタフェースを前記インタフェースによって用いられる形式に変換するための変換手段と、前記他のインタフェースには、ＰＣＭＣＩＡインタフェースと、前記ＰＣＭＣＩＡインタフェースより少ない数のピンを有するインタフェースとが含まれることと、
前記変換器に接続され、第１カードに対応するための第１コネクタと、
前記第１コネクタに適合する対応コネクタを有するアダプタと、該アダプタは前記他のインタフェースを有する他のカードに適合する第２コネクタも有することと、
前記第２コネクタからの信号を前記接続用コネクタにおける信号と接続するための信号コネクタと、前記アダプタは、前記他のデバイスが前記変換手段によって読み取られることを可能にすることとを備える単一スロットマルチフラッシュカード読取装置。
【請求項２８】
前記信号コネクタは、配線系統を備える請求項２７に記載の単一スロットマルチフラッシュカード読取装置。
【請求項２９】
前記配線系統は、前記他のインタフェースの少なくとも１つからのカード選択信号を前記第１コネクタのカード選択信号に接続する請求項２７に記載の単一スロットマルチフラッシュカード読取装置。
【請求項３０】
前記変換器は、前記カード選択信号を検出し、かつ前記第１コネクタに挿入されたフラッシュメモリカードの存在を検出するためのカード検出器を備える請求項２７に記載の単一スロットマルチフラッシュカード読取装置。
【請求項３１】
フラッシュメモリカードは、読み取り専用媒体、１回書き込み型媒体、及び読み取り／書込みフラッシュ媒体の何れかである請求項２７に記載の単一スロットマルチフラッシュカード読取装置。
【請求項３２】
前記デバイスは、読み取り専用型又は読み取り／書込み方又は１回書き込み型であり得る固体メモリを用いる請求項２７に記載の単一スロットマルチフラッシュカード読取装置。
【請求項３３】
単一スロットマルチフラッシュカード読取装置であって、データをパーソナルコンピュータに転送するためのパーソナルコンピュータインタフェースと、
前記パーソナルコンピュータインタフェースに接続され、かつ複数のフラッシュカードインタフェースを前記パーソナルコンピュータインタフェースによって用いられる形式に変換するための変換手段と、前記複数のフラッシュカードインタフェースには、コンパクトフラッシュ（商標）インタフェースと、前記コンパクトフラッシュ（商標）インタフェースより少ない数のピンを有する小型インタフェースとが含まれることと、
前記変換手段に接続され、かつ前記単一スロットマルチフラッシュカード読取装置の単一スロットを介してコンパクトフラッシュ（商標）カードを受容するためのコンパクトフラッシュコネクタと、該コンパクトフラッシュコネクタは前記コンパクトフラッシュインタフェースにおける信号用のコンパクトフラッシュカードと電気的接続を形成することと、
前記コンパクトフラッシュコネクタに着脱自在に挿入するための物理的な形状を有するアダプタと、該アダプタは前記コンパクトフラッシュコネクタに適合する対応コンパクトフラッシュコネクタを有し、該アダプタは前記小型インタフェースを有する他のフラッシュメモリカードに適合する小型のコネクタを有することと、
前記小型インタフェースにおける小型のコネクタからの信号を前記対応コンパクトフラッシュコネクタにおける信号と直接接続するためであって、前記アダプタ内において前記小型のコネクタと前記対応コンパクトフラッシュコネクタとの間において接続された配線手段とを備え、
それによって、前記アダプタは、前記小型インタフェースを有する他のフラッシュメモリカードが、前記変換手段によって読み取られる前記単一スロットを介して前記コンパクトフラッシュコネクタに適合できるようにする単一スロットマルチフラッシュカード読取装置。
【請求項３４】
前記配線手段は、前記小型インタフェース全てからのカード選択信号を前記コンパクトフラッシュコネクタにおけるカード選択信号に接続し、
前記変換手段には、前記コンパクトフラッシュコネクタに挿入されたフラッシュメモリカードの存在を検出するために、前記カード選択信号を検出するように接続されたカード検出手段を備え、
それにより、前記変換手段は、コンパクトフラッシュカード及び前記小型インタフェースを有する他のフラッシュメモリカードの存在を検出する、請求項３３に記載の単一スロットマルチフラッシュカード読取装置。
【請求項３５】
前記配線手段は、前記小型インタフェースからの信号を前記コンパクトフラッシュコネクタにおける最下位ビット（ＬＳＢ）アドレス信号に接続し、
前記変換手段は、前記コンパクトフラッシュコネクタに挿入されたフラッシュメモリカードの種類を検出するために、ＬＳＢアドレス信号を検知するように接続されたカード種類検出手段を備え、
検出されるフラッシュメモリカードの種類には、コンパクトフラッシュカードと、前記小型インタフェースを有する小型のフラッシュメモリカードとが含まれ、
それにより、前記変換手段が、コンパクトフラッシュカード及び前記小型インタフェースを有する他のフラッシュメモリカードを含む挿入されたフラッシュメモリカードの種類を検出する、請求項３４に記載の単一スロットマルチフラッシュカード読取装置。
【請求項３６】
前記ＬＳＢアドレス信号は、前記コンパクトフラッシュインタフェースにおいて、Ａ０信号とＡ１信号を含み、
前記Ａ１信号は、前記小型インタフェースが、マルチメディアカード（商標）、セキュアデジタルインタフェース、又はメモリスティック（商標）インタフェースである場合、前記小型インタフェースにおいてシリアルデータ信号に接続され、
それにより、前記小型インタフェースの前記シリアルデータ信号に接続された前記Ａ１信号を用いて、種類検出が行なわれる請求項３５に記載の単一スロットマルチフラッシュカード読取装置。
【請求項３７】
前記小型インタフェース用の各種類の前記フラッシュメモリカードは、前記アダプタによって前記ＬＳＢアドレス信号に接続された信号を異なる論理レベルに駆動し、
コンパクトフラッシュカードは、前記ＬＳＢアドレス信号を駆動せず、
それにより、前記ＬＳＢアドレス信号は、コンパクトフラッシュカードに対してはフロート状態になるが、前記ＬＳＢアドレス信号の少なくとも１つは、前記アダプタによって接続された時、前記小型インタフェースを有する前記他のフラッシュメモリカードによって駆動される、請求項３６に記載の単一スロットマルチフラッシュカード読取装置。
【請求項３８】
前記コンパクトフラッシュコネクタからの前記ＬＳＢアドレス信号に接続されており、前記変換手段と前記フラッシュメモリカードが、前記ＬＳＢアドレス信号に接続された信号を駆動していない時、前記ＬＳＢアドレス信号をハイ状態にするためのプルアップ抵抗器を更に備え、
それにより、前記プルアップ抵抗器は、カード種類検出を支援する請求項３７に記載の単一スロットマルチフラッシュカード読取装置。
【請求項３９】
前記配線手段は、集積回路チップ、トランジスタ、抵抗器、又はコンデンサを含む能動構成要素を有さない受動配線手段であり、
それにより、前記アダプタは、受動アダプタである請求項３８に記載の単一スロットマルチフラッシュカード読取装置。
【請求項４０】
前記小型インタフェースは、マルチメディアカード（商標）インタフェース、セキュアデジタルインタフェース、及びメモリスティック（商標）フラッシュメモリカードインタフェースのうちから選択される請求項３９に記載の単一スロットマルチフラッシュカード読取装置。
【請求項４１】
前記コンパクトフラッシュコネクタに着脱自在に挿入するための物理的な形状を有する第２アダプタをさらに備え、該第２アダプタは前記コンパクトフラッシュコネクタに適合する対応コンパクトフラッシュコネクタを有し、該第２アダプタはまた、スマートメディア（商標）用の前記小型インタフェースを有するスマートメディアフラッシュメモリカードに適合する第２小型コネクタを有し、
それにより、前記第２アダプタは、スマートメディアフラッシュメモリカードを前記コンパクトフラッシュコネクタに接続する請求項４０に記載の単一スロットマルチフラッシュカード読取装置。
【請求項４２】
前記コンパクトフラッシュコネクタに着脱自在に挿入するための物理的な形状を有する第３アダプタを更に備え、該第３アダプタは前記コンパクトフラッシュコネクタに適合する対応コンパクトフラッシュコネクタを有し、該第３アダプタはまた、メモリスティック用の前記小型インタフェースを有するメモリスティックフラッシュメモリカードに適合する第３小型コネクタを有し、
それにより、前記第３アダプタは、メモリスティックフラッシュメモリカードを前記コンパクトフラッシュコネクタに接続する請求項４１に記載の単一スロットマルチフラッシュカード読取装置。
【請求項４３】
前記コンパクトフラッシュインタフェースは、電源及び接地ピンを含む５０ピンを有し、
前記小型インタフェースは、電源及び接地ピンを含む１０ピンのみを有する請求項４２に記載の単一スロットマルチフラッシュカード読取装置。
【請求項４４】
前記変換手段は、
シリアルデータをパラレルデータ形式に変換して前記パーソナルコンピュータに転送するための、前記小型インタフェースからシリアルデータを受信するシリアル―パラレル手段を更に備え、
それにより、前記小型インタフェースからのシリアルデータは、パラレルデータに変換されるが、コンパクトフラッシュカードからのパラレルデータは変換されない請求項４２に記載の単一スロットマルチフラッシュカード読取装置。
【請求項４５】
データをホストコンピュータに転送するためのホスト接続部と、
前記ホスト接続部に接続されたおり、フラッシュメモリカードからの信号を変換して、前記フラッシュメモリカードからのデータを読み取り、前記ホストコンピュータに転送するための変換チップと、
前記変換チップに接続され、かつ第１コネクタ用の第１スロットに挿入されたコンパクトフラッシュカードに対応するための第１コネクタと、前記第１コネクタはパラレルデータバスと、アドレスバスと、前記コンパクトフラッシュカードから前記変換チップへのパラレルデータ転送を制御するための制御信号とを有することと、
前記変換チップに接続され、かつ第２コネクタ用の第２スロットに挿入されたスマートメディアカードに対応するための第２コネクタと、前記第２コネクタはパラレルデータバスと、前記スマートメディアカードから前記変換チップへのパラレルデータ転送を制御するための制御信号とを有することと、
前記変換チップに接続され、かつ第３コネクタ用の第３スロットに挿入されたマルチメディアカードＭＭＣに対応するための第３コネクタと、前記第３コネクタは、シリアルデータピンおよび前記ＭＭＣカードから前記変換チップへのシリアルデータ転送を制御するためのクロックピンとを有することとを備え、
前記変換チップは、前記コンパクトフラッシュカードに対してはパラレルデータとアドレス転送とを制御し、前記スマートメディアカードに対してはパラレルデータ転送を制御し、前記ＭＭＣカードに対してはシリアルデータ転送を制御し、
それにより、前記変換チップを用いて、前記マルチフラッシュカード読取装置によって、複数のフラッシュメモリカードを読み取ることができるマルチフラッシュカード読取装置。
【請求項４６】
前記第１コネクタ、前記第２コネクタ、及び前記第３コネクタは、各々、コネクタに挿入されたフラッシュメモリカードの存在を検出するためのカード検出信号を有し、
前記変換チップは、コネクタからの前記カード検出信号の電圧変化を検出し、前記カード検出信号を起動する前記フラッシュメモリカードにアクセスするためのルーチンを起動し、
それにより、前記変換チップによってフラッシュメモリカードが検出される請求項４５に記載のマルチフラッシュカード読取装置。
【請求項４７】
前記変換チップに接続され、かつ第４コネクタ用の第４スロットに挿入されたメモリスティックカードに対応するための第４コネクタを更に備え、前記第４コネクタは、シリアルデータピンと、前記メモリスティックカードから前記変換チップへのシリアルデータ転送を制御するためのクロックピンとを有し、
前記変換チップはまた、前記メモリスティックカードに対するシリアルデータ転送を制御する請求項４６に記載のマルチフラッシュカード読取装置。
【請求項４８】
前記ホスト接続部は、外部ケーブルを介して前記ホストコンピュータに接続され、
前記マルチフラッシュカード読取装置は、前記ホストコンピュータのシャーシとは分離した外部筐体に在り、
それにより、前記マルチフラッシュカード読取装置は外付け式である請求項４７に記載のマルチフラッシュカード読取装置。
【請求項４９】
前記変換チップに接続されており、前記外部筐体の第５スロットを介して取外し可能なディスクに対応するための取外し可能な大容量記憶装置を更に備え、該取外し可能な大容量記憶装置は前記変換チップに応答して前記フラッシュメモリカードからのデータを記憶し、
それにより、データが前記取外し可能な大容量記憶装置に転送される請求項４８に記載のマルチフラッシュカード読取装置。
【請求項５０】
前記第１コネクタ、第２コネクタ、又は第３コネクタに挿入されたフラッシュメモリカードから前記取外し可能な大容量記憶装置へのデータ転送を開始するためにユーザが閉じ得る起動スイッチを更に備え、前記起動スイッチは、前記変換チップにおいて、転送ルーチンを起動するために接続されており、
それにより、ユーザによって起動される前記取外し可能な大容量記憶装置へのデータ転送が、前記起動スイッチによって開始される請求項４９に記載のマルチフラッシュカード読取装置。
【請求項５１】
前記ホスト接続部がその時点において前記ホストコンピュータに接続されていない場合に、前記起動スイッチは作動し、
それにより、前記マルチフラッシュカード読取装置は、フラッシュメモリカードから前記取外し可能な大容量記憶装置へデータを転送するためのスタンドアロン式読取装置である請求項５０に記載のマルチフラッシュカード読取装置。
【請求項５２】
前記取外し可能な大容量記憶装置は、記憶媒体として、取外し可能なテープ又は取外し可能な回転ディスクを許容する請求項５１に記載のマルチフラッシュカード読取装置。
【請求項５３】
前記ホスト接続部は、前記ホストコンピュータ用の基板へ内部ケーブルを介して接続され、
前記マルチフラッシュカード読取装置は、前記ホストコンピュータを収容するコンピュータのシャーシ内に在り、
それにより、前記マルチフラッシュカード読取装置は内蔵式である請求項４７に記載のマルチフラッシュカード読取装置。
【請求項５４】
前記マルチフラッシュカード読取装置は、前記コンピュータシャーシにおける予備ディスクドライブ用のドライブベイに配置される請求項５３に記載のマルチフラッシュカード読取装置。
【請求項５５】
前記変換チップは、
前記第１コネクタ、第２コネクタ、及び第３コネクタにおける前記フラッシュメモリカードの存在を検出するためのルーチン、及び前記フラッシュメモリカードから前記ホストコンピュータへデータを転送するためのルーチンを記憶するためのメモリと、
前記メモリに記憶された前記ルーチンを実行するための中央処理装置手段と、
前記中央処理装置手段に接続され、かつ時間間隔を判断するためのタイマと、
前記中央処理装置手段に応答し、前記第１コネクタ、第２コネクタ、及び第３コネクタからの入力信号を検出し、かつ前記第１コネクタ、第２コネクタ、及び第３コネクタへの出力信号を駆動するための前記入出力手段と、
前記中央処理装置手段に応答するシフト手段と、シフト手段は前記第３コネクタ及び第４コネクタからのシリアルデータをシフトするが、前記第１及び第２コネクタからのパラレルデータはシフトしないこととを更に備える請求項４７に記載のマルチフラッシュカード読取装置。